(57)【要約】【課題】温度の均一性を更に向上することができる床暖房パネルを提供する。【解決手段】ベース部材１には、一対の根太部材３間に、複数の管部材６がＹ軸方向（第１の方向）に延びて配列される配列領域１０が形成されている。この配列領域１０では、複数の管部材６が、Ｘ軸方向（第２の方向）に少なくとも３つの間隔１６（本実施形態では５つの間隔）を形成して互いに離間して配列される。配列領域１０のＸ軸方向の端部における間隔１６２，１６６の寸法Ｌ２，Ｌ６は、配列領域１０におけるＸ軸方向の中央位置ＣＬでの間隔１６４の寸法に比して小さく設定される。このような構成を採用することで、温度が上がりにくい部分にて、管部材６を密に設け、温度を供給し易くすることができる。これにより、根太部材３に近い部分と、根太部材３から遠い中央位置ＣＬ側の部分とで、温度の均一性を向上できる。【選択図】図２
2019070497.tif 000002
【特許請求の範囲】
【請求項１】
平板状に広がるベース部材と、
前記ベース部材に設けられ、第１の方向に延び、当該第１の方向と直交する第２の方向に離間して複数配列される根太部材と、
前記ベース部材に設けられ、熱媒体を流通させる複数の管部材と、を備える床暖房パネルであって、
前記ベース部材には、前記第２の方向に隣り合う一対の前記根太部材間に、複数の前記管部材が第１の方向に延びて配列される配列領域が形成され、
前記配列領域では、複数の前記管部材が、前記第２の方向に少なくとも３つの間隔を形成して互いに離間して配列され、
前記配列領域の前記第２の方向の端部における前記間隔の寸法は、前記配列領域における前記第２の方向の中央位置での前記間隔の寸法に比して小さく設定される、床暖房パネル。
【請求項２】
前記ベース部材は前記第１の方向に対向する一対の縁部を有し、
前記ベース部材のうち、前記第２の方向において前記根太部材が設けられる位置には、前記一対の縁部間に、前記根太部材が設けられない隙間が形成され、
前記中央位置での前記間隔を形成する一対の前記管部材の間には、前記第１の方向において前記隙間と対応する位置に、根太片が設けられる、請求項１に記載の床暖房パネル。
【発明の詳細な説明】
【技術分野】
【０００１】
本発明は、床暖房パネルに関する。
【背景技術】
【０００２】
従来、住宅等の部屋の暖房のために、床面上に敷設される床暖房パネルとして、特許文献１に記載されたものが知られている。この床暖房パネルは、平板状に広がるベース部材と、ベース部材に設けられて複数配列される根太部材と、ベース部材に設けられ、熱媒体を流通させる複数の管部材と、を備える。根太部材は、当該根太部材が延びる方向とは、直交する方向へ、所定の間隔を空けて配置されている。また、根太部材同士の間には、管部材が根太部材と平行に延びた状態で、複数配列されている。複数の管部材は、根太部材間にて等ピッチで配列されている。
【先行技術文献】
【特許文献】
【０００３】
【特許文献１】特開２００４−２７１０１５号公報
【発明の概要】
【発明が解決しようとする課題】
【０００４】
上述のような床暖房パネルは、ベース部材に複数の根太部材を備えている。このような根太部材が設けられる場合、床暖房パネルの平面方向における位置による温度の均一性を更に向上することで、床暖房パネルの性能を向上させることができる。従って、このような床暖房パネルの平面方向における温度の均一性を更に向上することが要請されていた。
【０００５】
本発明は、温度の均一性を更に向上することができる床暖房パネルを提供することを目的とする。
【課題を解決するための手段】
【０００６】
本発明の一側面に係る床暖房パネルは、平板状に広がるベース部材と、ベース部材に設けられ、第１の方向に延び、当該第１の方向と直交する第２の方向に離間して複数配列される根太部材と、ベース部材に設けられ、熱媒体を流通させる複数の管部材と、を備える床暖房パネルであって、ベース部材には、一対の根太部材間に、複数の管部材が第１の方向に延びて配列される配列領域が形成され、配列領域では、複数の管部材が、第２の方向に少なくとも３つの間隔を形成して互いに離間して配列され、配列領域の第２の方向の端部における間隔の寸法は、配列領域における第２の方向の中央位置での間隔の寸法に比して小さく設定される。
【０００７】
この床暖房パネルにおいて、ベース部材には、一対の根太部材間に、複数の管部材が第１の方向に延びて配列される配列領域が形成されている。この配列領域では、複数の管部材が、第２の方向に少なくとも３つの間隔を形成して互いに離間して配列される。ここで、配列領域のうち、第２の方向における中央位置よりも、根太部材に近い部分の方が温度が上がりにくい。これに対して、配列領域の第２の方向の端部における間隔の寸法は、配列領域における第２の方向の中央位置での間隔の寸法に比して小さく設定される。このような構成を採用することで、温度が上がりにくい部分にて、管部材を密に設け、温度を供給し易くすることができる。これにより、根太部材に近い部分と、根太部材から遠い中央位置側の部分とで、温度の均一性を向上できる。以上により、床暖房パネルの温度の均一性を更に向上することができる。
【０００８】
ベース部材は第１の方向に対向する一対の縁部を有し、ベース部材のうち、第２の方向において根太部材が設けられる位置には、一対の縁部間に、根太部材が設けられない隙間が形成され、中央位置での間隔を形成する一対の管部材の間には、第１の方向において隙間と対応する位置に、根太片が設けられてよい。第１の方向において隙間と対応する位置では、根太部材が設けられないことにより、床暖房パネルの表面に固定される仕上材を固定することができず、当該仕上材の固定強度が低下する。従って、第１の方向において隙間と対応する位置に、根太片が設けられる。これにより、根太片にてベース部材の仕上材を固定することができる。従って、仕上材の固定強度を向上することができる。
【発明の効果】
【０００９】
本発明によれば、温度の均一性を更に向上することができる床暖房パネルを提供できる。
【図面の簡単な説明】
【００１０】
【図１】一実施形態に係る床暖房パネルを示す平面図である。
【図２】図１の床暖房パネルの一部拡大図である。
【図３】図２に示すＩＩＩ−ＩＩＩ線に沿った断面図である。
【図４】管部材の間隔の寸法関係を説明するための図である。
【図５】管部材の間隔の寸法関係を説明するための図である。
【発明を実施するための形態】
【００１１】
以下、本発明の実施形態について、図面を参照して詳細に説明する。なお、図面において、同一または同等の要素には同じ符号を付し、重複する説明を省略する。
【００１２】
図１は、本発明の実施形態に係る床暖房パネルを示す平面図である。図１に示す床暖房パネル１００は、放熱効率に優れ且つ高出力のパネルであり、床、壁、天井に機能下地材として敷設することが出来る。床暖房パネル１００は、熱媒体を循環させることにより暖房として使用される。床暖房パネル１００は、ベニヤ等の構造用合板やパーティクルボード、あるいは、コンクリートスラブ等から成る床下地の上に敷設される。また、床暖房パネル１００の上面には、フローリング等の床仕上材（仕上材）が配置され、内部に温水などの熱媒体を循環させる床暖房用の部材である。床仕上材としては、例えば、マトア、チーク、オーク、ナラ、サクラ、ヒノキ、メープル、ウリン等の各種天然木材を少なくとも表面に使用した所謂フローリングが使用されてよい。
【００１３】
本実施形態に係る床暖房パネル１００は、施工性の観点から、平面形状を方形（正方形または長方形）に形成されてよい。床暖房パネル１００は、設置場所を考慮して種々の大きさに設計できるが、居室床の寸法設計に対応するため、一辺の長さ（幅）を５００〜４０００ｍｍ程度、他の一辺の長さ（長さ）を５００〜４０００ｍｍ程度、厚さを５〜３０ｍｍ程度に設定されてよい。そして、後述するヘッダー７を使用して複数の循環路を構成する観点から、平面面積が０．５〜１２ｍ２に設計されてよい。なお、床暖房パネル１００は、敷設する床の広さによっては複数枚使用されてよい。
【００１４】
図１〜図３に示すように、床暖房パネル１００は、ベース部材１と、根太部材３と、根太片４と、管部材６と、ヘッダー７と、放熱シート８（図３参照）と、を備えている。なお、本実施形態においては、床暖房パネル１００の平面と平行な方向に対して、Ｘ軸方向とＹ軸方向を設定する。Ｙ軸方向は、Ｘ軸方向と直交する方向である。
【００１５】
ベース部材１は、平板状に広がる部材である。ベース部材１は、平面視において矩形状をなす板状部材によって構成されている。ベース部材１は、Ｙ軸方向において互いに対向する縁部１ａ，１ｂと、Ｘ軸方向において互いに対向する縁部１ｃ，１ｄと、を備える。縁部１ａは、Ｙ軸方向の正側において、Ｘ軸方向と平行に真っ直ぐ延びている。縁部１ｂは、Ｙ軸方向の負側において、Ｘ軸方向と平行に真っ直ぐ延びている。縁部１ｃは、Ｘ軸方向の負側において、Ｙ軸方向と平行に真っ直ぐ延びている。縁部１ｄは、Ｘ軸方向の正側において、Ｙ軸方向と平行に真っ直ぐ延びている。
【００１６】
ベース部材１は、発泡樹脂成形体によって構成されてよい。発泡樹脂成形体としては、硬質ポリウレタン発泡体、硬質ポリエチレン発泡体、硬質ポリプロピレン発泡体、ポリスチレン発泡体、フェノール樹脂発泡体、硬質ポリ塩化ビニル発泡体、ポリメチルメタクリレート発泡体、ポリカーボネート発泡体、ポリフェニレンオキサイド発泡体、ポリスチレンとポリエチレン混合物の発泡体などが挙げられる。
【００１７】
ベース部材１は、例えば、平面形状が細長の長方形に形成された小片を床暖房パネル１００の幅に沿わせ且つ床暖房パネル１００の長さ方向に複数配列して構成されてよい。ベース部材１の各小片の長さ及び厚さは、各々、床暖房パネル１００の上記の幅および厚さに応じて設計されてよい。ベース部材１は、床暖房パネル１００を折畳み構造に構成するために分断されていてもよい。
【００１８】
根太部材３は、ベース部材１に設けられ、Ｙ軸方向に延び、Ｘ軸方向に離間して複数配列される部材である。根太部材３は、Ｘ軸方向に沿って所定の間隔でベース部材１に埋設された状態に配置される。根太部材３は、床下地が木質系の場合にビスや釘を使用して当該床暖房パネル１００を固定すると共に、上方から加わる鉛直荷重を支持するための小割り状の部材である。根太部材３は、例えば、スギ、サクラ、ヒノキ、ラワン及び合板などの木材、または、樹脂の硬質発泡材で構成されてよい。根太部材３の長さ及び厚さは、各々、床暖房パネル１００の上記の幅および厚さに応じて設計され、本実施形態において、根太部材３の幅（Ｘ軸方向の寸法）は、３０〜６０ｍｍ程度に設定されてよい。
【００１９】
ベース部材１においては、Ｘ軸方向に沿って、根太部材３Ｂと、根太部材３Ａ，３Ｃとが、交互に設けられている。根太部材３Ｂと、根太部材３Ａ，３Ｃとは、Ｘ軸方向に沿って等ピッチで設けられてもよいが、異なるピッチで設けられてもよい。
【００２０】
根太部材３Ｂは、ベース部材１のＹ軸方向の正側の縁部１ａ付近の位置と、Ｙ軸方向の負側の縁部１ｂ付近の位置との間で、Ｙ軸方向と平行に真っ直ぐ延びている。根太部材３ＢのＹ軸方向における正側の端部３Ｂａが縁部１ａから離間し、Ｙ軸方向における負側の端部３Ｂｂが縁部１ｂから離間している。これにより、Ｘ軸方向において根太部材３Ｂが設けられる位置には、縁部１ａと縁部１ｂとの間に、当該根太部材３Ｂが設けられない隙間が形成される。
【００２１】
根太部材３Ａは、ベース部材１のＹ軸方向の正側の縁部１ａの位置と、Ｙ軸方向の中央付近の位置との間で、Ｙ軸方向と平行に真っ直ぐ延びている。根太部材３ＡのＹ軸方向における正側の端部３Ａａは、縁部１ａと同位置に設けられ、Ｙ軸方向における負側の端部３Ａｂはベース部材１のＹ軸方向の中央位置から離間している。
【００２２】
根太部材３Ｃは、ベース部材１のＹ軸方向の負側の縁部１ｂの位置と、Ｙ軸方向の中央付近の位置との間で、Ｙ軸方向と平行に真っ直ぐ延びている。根太部材３ＣのＹ軸方向における正側の端部３Ｃａは、ベース部材１のＹ軸方向の中央位置から離間している。Ｙ軸方向における負側の端部３Ｃｂはベース部材１のＹ軸方向の縁部１ｂと同位置に設けられている。根太部材３ＣのＸ軸方向の位置は、根太部材３Ａと同位置である。これにより、Ｘ軸方向において根太部材３Ａ，３Ｃが設けられる位置には、縁部１ａと縁部１ｂとの間に、当該根太部材３Ａ，３Ｃが設けられない隙間が形成される。
【００２３】
根太片４の材質等は根太部材３と同様である。根太片４は、配置及び大きさが根太部材３と異なる。根太片４の詳細については後述する。
【００２４】
管部材６は、ベース部材１に設けられ、熱媒体を流通させる部材である。管部材６は、ベース部材１に埋め込まれるように、互いに並列をなすように複数設けられる。管部材６は、図３に示すように、ベース部材１の表面１ｆに形成された溝１ｅを利用し、放熱シート８に接触する状態にベース部材１に埋設される。管部材６としては、架橋ポリエチレン管、ポリブテン管、ポリプロピレン管、ポリエチレン管、銅管の他、周面に金属線を埋設した樹脂管などが使用できる。管部材６内を流れる熱媒体として、温水が採用される。管部材６の大きさは、例えば、外径５〜２０ｍｍ、内径３〜１６ｍｍとしてよい。
【００２５】
管部材６は、ベース部材１の略全域にわたって張り巡らされている。管部材６は、床暖房パネル１００において、Ｙ軸方向に沿って直線状に配置されている。また、管部材６は、Ｙ軸方向の両端側の縁部１ａ，１ｂで折り返されるように配置される。このとき、管部材６は、根太部材３Ｂの端部３Ｂａ，３Ｂｂの位置で折り返される。また、管部材６は、ベース部材１のＹ軸方向における中央位置で折り返されるように配置される。このとき、管部材６は、根太部材３Ａの端部３Ａｂと根太部材３Ｃの端部３Ｃａとの間で、折り返される。すなわち、床暖房パネル１００は、直線状に配置した管部材６の列が平行に複数配列された管部材６の配置パターンを備えている。管部材６の配置についての更に詳細な位置関係は、後述する。
【００２６】
ヘッダー７は、管部材６に接続されており、管部材６に熱媒体を供給する装置である。ヘッダー７は、床暖房パネル１００の１つの縁部１ｂに形成された切込み部に配置されている。ヘッダー７には、複数の管部材６が接続されており、複数系統（複数回路）の温水循環路を構成する。循環路を複数組構成することにより、各系統における温水の温度低下を少なくしてパネル全体で均一に放熱し且つ出力を高めることが出来る。
【００２７】
放熱シート８は、管部材６熱媒体の熱を床仕上材側に伝える部材である。放熱シート８は、厚さが３０〜１５０μｍで、且つ熱伝導性に優れた可撓性のフィルム又はシート、例えば、アルミニウム箔、錫箔、銅箔、ステンレス鋼箔などの金属箔、金属製の織布や不織布、樹脂フィルム又は樹脂シート、あるいは、これらを組合せた積層シート等から構成される。
【００２８】
放熱シート８は、ベース部材１、根太部材３及び根太片４の表面に対して接着材によって貼着される。接着材としては、エチレン・アクリル酸共重合体、エチレン・酢酸ビニル共重合体、エチレン・グリシジルアクリレート共重合体、エチレン・無水マレイン酸共重合体、ポリエチレンのアクリル酸グラフト共重合体、ポリエチレンの無水マレイン酸グラフト共重合体などの熱可塑性樹脂、あるいは、エポキシ樹脂、ウレタン樹脂、フェノール樹脂などの熱硬化性樹脂から成る接着剤または接着剤フイルムが挙げられる。上記のベース部材１と根太部材３，４は、これらの表面に貼設された放熱シート８によって一体化されている。なお、一体化されるに十分な強度を有していれば、特に前述の接着材に限定されるものではない。
【００２９】
次に、図２及び図４を参照して、管部材６の配置について更に詳細に説明する。なお、図２では、根太部材３Ａ，３Ｂ間の管部材６の配置が示されているが、根太部材３Ｂ，３Ｃ間においても同趣旨の関係が成り立つので、説明を省略する。
【００３０】
ベース部材１には、一対の根太部材３Ａ，３Ｂ間に、複数の管部材６がＹ軸方向に延びて配列される配列領域１０が形成される。配列領域１０は、Ｙ軸方向において、根太部材３Ａと根太部材３Ｂとが重なり合う領域であるものとする。配列領域１０では、複数の管部材６が、Ｘ軸方向に少なくとも３つの間隔を形成して互いに離間して配列される。本実施形態では、管部材６は６本設けられ、間隔は５個形成される。配列領域１０では、各管部材６は、Ｙ軸方向と平行をなすように直線状に延びている。
【００３１】
配列領域１０のＹ軸方向の正側の端部付近では、各管部材６は、根太部材３Ｂの端部３Ｂａを回り込むために、湾曲している。各管部材６は、端部３Ｂａと縁部１ａとの間の隙間１２をＸ軸方向に延びた状態にて、通過する。なお、配列領域１０のＹ軸方向の負側の端部付近でも、各管部材６は、根太部材３Ａの端部３Ａｂを回り込むために、湾曲している。各管部材６は、端部３Ａｂと端部３Ｃａとの間の隙間をＸ軸方向に延びた状態にて通過する（図１参照）。なお、配列領域１０のＹ軸方向の全域にわたって、管部材６がＹ軸方向に真っ直ぐ延びてよく、配列領域１０のＹ軸方向の端部では管部材６が湾曲していてもよい。
【００３２】
なお、説明のために、管部材６のうち、根太部材３Ｂから遠いものから順に、管部材６１，６２，６３，６４，６５，６６，６７と称する。根太部材３Ａと管部材６１との間には間隔１６１が形成される。管部材６１，６２間には間隔１６２が形成される。管部材６２，６３間には間隔１６３が形成される。管部材６３，６４間には間隔１６４が形成される。管部材６４，６５間には間隔１６５が形成される。管部材６５，６６間には間隔１６６が形成される。根太部材３Ｂと管部材６６との間には間隔１６７が形成される。また、間隔１６１，１６２，１６３，１６４，１６５，１６６，１６７のＸ軸方向の寸法は、それぞれ寸法Ｌ１，Ｌ２，Ｌ３，Ｌ４，Ｌ５，Ｌ６，Ｌ７とする。なお、図２では、理解を容易とするために、管部材６は一本の実線で示されているが、実際は図３に示すように管部材６は所定の外径を有する部材である。従って、図２に示されている実線は、管部材６の中心線を示すものとする。例えば、間隔１６２とは、管部材６２の中心線と管部材６３の中心線との間に形成される間隔である。寸法Ｌ２とは、管部材６２の中心線と管部材６３の中心線との間の寸法である。
【００３３】
一対の管部材６によって形成される間隔１６２，１６３，１６４，１６５，１６６の寸法関係について説明する。図４に示すように、配列領域１０のＸ軸方向の端部における間隔１６の寸法は、配列領域１０におけるＸ軸方向の中央位置ＣＬでの間隔１６の寸法に比して小さく設定される。
【００３４】
本実施形態では、配列領域１０のＸ軸方向の端部における間隔１６には、Ｘ軸方向の負側の端部の間隔１６２と、Ｘ軸方向の正側の端部の間隔１６６が該当する。配列領域１０におけるＸ軸方向の中央位置ＣＬでの間隔１６には、当該中央位置ＣＬが属する間隔である間隔１６４が該当する。従って、配列領域１０のＸ軸方向の端部における間隔１６２，１６６の寸法Ｌ２，Ｌ６は、配列領域１０におけるＸ軸方向の中央位置ＣＬでの間隔１６４の寸法Ｌ４に比して小さく設定される。
【００３５】
ここで、間隔１６の寸法の大小の比較では、製造誤差によって生じる程度の寸法の大小は含まないものとする。すなわち、間隔１６２，１６６の寸法Ｌ２，Ｌ６が、間隔１６４の寸法Ｌ４に比して２ｍｍ以上小さい場合は、製造誤差の範囲を超えて、寸法が小さいと言える。より好ましくは、間隔１６２，１６６の寸法Ｌ２，Ｌ６は、間隔１６４の寸法Ｌ４に比して１０ｍｍ以上小さいことが好ましく、１５ｍｍ以上小さいことが好ましく、２０ｍｍ以上小さいことが更に好ましい。
【００３６】
また、中央位置ＣＬでの間隔１６４よりもＸ軸方向の端部側に配置される間隔１６３，１６５の寸法Ｌ３，Ｌ５も、配列領域１０におけるＸ軸方向の中央位置ＣＬでの間隔１６４の寸法Ｌ４に比して小さく設定される。本実施形態では、間隔１６３，１６５の寸法Ｌ３，Ｌ５は、間隔１６２，１６６の寸法Ｌ２，Ｌ６と同じ大きさに設定される。
【００３７】
上述の関係を満たす範囲において、例えば、寸法Ｌ２，Ｌ３，Ｌ５，Ｌ６は３０〜５０ｍｍに設定され、寸法Ｌ４は５０〜７０ｍｍに設定され、寸法Ｌ１，Ｌ７は１０〜２５ｍｍに設定されてよい。なお、Ｌ４は、５６ｍｍ以上であること、又は５７ｍｍ以上であることが、温度の均一性の観点から、より好ましい。
【００３８】
なお、本実施形態では、配列領域１０の全域にわたって各管部材６がＹ軸方向に真っ直ぐに延びている。従って、上述の寸法関係は、配列領域１０の全域にわたってなりたっている。ただし、配列領域１０の一部において管部材６の寸法関係が他の部分と異なることで、上述の寸法関係が成り立っていない部分が存在してもよい。好ましくは、上述の寸法関係は、配列領域１０の１０％以上、好ましくは５０％以上の領域にて成り立っていればよい。
【００３９】
上述のような寸法関係を採用することで、中央位置ＣＬにおける間隔１６４の寸法Ｌ４は広く設定される。図２に示すように、根太片４は、広くなった管部材６３と管部材６４との間の隙間に対応する位置に配置される。また、根太片４は、Ｙ軸方向において、隙間１２と対応する位置に形成されている。すなわち、根太片４は、配列領域１０からＹ軸方向の端部より外側へはみ出した部分を有してよい。このような構成により、中央位置ＣＬでの間隔１６４を形成する一対の管部材６３，６４の間には、Ｙ軸方向において隙間１２と対応する位置に、根太片４が設けられる。
【００４０】
本実施形態では、根太片４の配列領域１０側の端部４ａは、根太部材３の端部３Ｂａと略同位置に配置されている。ただし、根太片４の配列領域１０側の端部４ａは、根太部材３の端部３Ｂａよりも、配列領域１０側に延びてもよい。根太片４の配列領域１０と反対側４ｂは、管部材６と干渉しないように設けられており、縁部１ａから離間する。
【００４１】
根太片４のＹ軸方向の寸法は、少なくとも根太部材３Ａ，３Ｃよりも小さい。根太片４は、根太部材３とは異なり、床暖房パネル１００に対する温度の均一性に与える影響が小さいことが好ましい。より詳細には、根太部材３は、Ｘ軸方向における所定の位置において、ベース部材１の縁部１ａと縁部１ｂとの領域のうち、７０％以上の領域を占める部材である。根太部材３が占める領域は、根太部材３Ａ，３Ｃのように分割されている場合は、根太部材３Ａ，３Ｃの合計の長さによって算出される。それに対し、根太片４は、Ｘ軸方向における所定の位置において、ベース部材１の縁部１ａと縁部１ｂとの領域のうち、僅かな領域しか占めておらず、温度の均一性にほとんど影響を与えない。例えば、図１に示すように、ベース部材１には、Ｘ軸方向における所定の位置に４個の根太片４が設けられているが、４個の根太片４のＹ軸方向の長さを合計しても、縁部１ａ，１ｂ間の寸法全体に比して、極めて小さい寸法である。なお、ヘッダー７の隣には、短い根太部材３Ｄが設けられているが、当該根太部材３Ｄ自体の長さは短いが、Ｘ軸方向における同位置に設けられた根太部材３Ｂと合計すれば、十分に長い寸法となる。よって、このような根太部材３Ｄは、「根太片」ではなく、「根太部材」に該当する。すなわち、Ｘ軸方向において根太部材３Ｄが配置される位置では、ベース部材１の縁部１ａと縁部１ｂとの領域のうち、根太部材３が占める割合は、縁部１ａと縁部１ｂとの間の寸法に対する、根太部材３Ｂと根太部材３Ｄの長さを足し合わせた寸法の割合によって算出される。
【００４２】
より具体的には、一つあたりの根太片４のＹ軸方向の長さは、例えば、３０〜１５０ｍｍに設定してよい。また、根太片４は、Ｙ軸方向のうち、隙間１２に対応する位置にのみ設けられてよい。あるいは、根太片４の一部が、Ｙ軸方向のうち、配列領域１０に重なるように設けられた場合であっても、当該重なる部分のＹ軸方向の寸法は、配列領域１０のＹ軸方向の寸法の２０％以下であることが好ましく、６％以下とすることが好ましい。
【００４３】
なお、根太片４は、Ｙ軸方向において、根太部材３Ａの端部３Ａｂと根太部材３Ｃの端部３Ｃａとの間の隙間１３と対応する位置にも形成されている。当該根太片４は、隙間１２に対応する根太片４と同趣旨の構成を有する。
【００４４】
次に、本実施形態に係る床暖房パネル１００の作用・効果について説明する。
【００４５】
この床暖房パネル１００において、ベース部材１には、一対の根太部材３間に、複数の管部材６がＹ軸方向（第１の方向）に延びて配列される配列領域１０が形成されている。この配列領域１０では、複数の管部材６が、Ｘ軸方向（第２の方向）に少なくとも３つの間隔１６（本実施形態では５つの間隔）を形成して互いに離間して配列される。ここで、配列領域１０のうち、Ｘ軸方向における中央位置ＣＬよりも、根太部材３に近い部分の方が温度が上がりにくい。これに対して、配列領域１０のＸ軸方向の端部における間隔１６２，１６６の寸法Ｌ２，Ｌ６は、配列領域１０におけるＸ軸方向の中央位置ＣＬでの間隔１６４の寸法に比して小さく設定される。このような構成を採用することで、温度が上がりにくい部分にて、管部材６を密に設け、温度を供給し易くすることができる。これにより、根太部材３に近い部分と、根太部材３から遠い中央位置ＣＬ側の部分とで、温度の均一性を向上できる。以上により、床暖房パネル１００の温度の均一性を更に向上することができる。
【００４６】
ベース部材１はＹ軸方向に対向する一対の縁部１ａ，１ｂを有し、ベース部材１のうち、Ｘ軸方向において根太部材３が設けられる位置には、一対の縁部１ａ，１ｂ間に、根太部材３が設けられない隙間１２，１３が形成され、中央位置ＣＬでの間隔１６４を形成する一対の管部材６３，６４の間には、Ｙ軸方向において隙間１２，１３と対応する位置に、根太片４が設けられてよい。Ｙ軸方向において隙間１２，１３と対応する位置では、根太部材３が設けられないことにより、床暖房パネル１００の表面に固定される仕上材を固定することができず、当該仕上材の固定強度が低下する。従って、Ｙ軸方向において隙間１２，１３と対応する位置に、根太片４が設けられる。これにより、根太片４にてベース部材１の仕上材を固定することができる。従って、仕上材の固定強度を向上することができる。
【００４７】
本発明は、上述の実施形態に限定されるものではない。
【００４８】
例えば、上述の実施形態では、一対の管部材で形成される間隔は奇数個であった。従って、「中央位置での間隔の寸法」は、中央の一つの間隔の寸法に決められていた。これに代えて、図４（ｂ）に示すように、間隔が偶数個であってもよい。この場合は、中央側の２つの間隔の寸法が、「中央位置での間隔の寸法」に該当する。図４（ｂ）の例では、７本の管部材６１〜６７が設けられている。この場合、中央位置ＣＬに対応する間隔の寸法としては、管部材６３，６４間の間隔の寸法Ｌ１４と、管部材６４，６５間の間隔の寸法Ｌ１５が該当する。従って、端部の管部材６１，６２間の間隔の寸法Ｌ１２及び管部材６６，６７間の寸法Ｌ１７は、管部材６３，６４間の間隔の寸法Ｌ１４、及び管部材６４，６５間の間隔の寸法Ｌ１５よりも小さい。中央位置ＣＬには、管部材６４の中心線が配置される。なお、寸法Ｌ１４，Ｌ１５に対しては、寸法Ｌ４の寸法範囲が適用されてよい。寸法Ｌ１２，Ｌ１３，Ｌ１６，Ｌ１７に対しては、寸法Ｌ２，Ｌ３，Ｌ５，Ｌ６の寸法範囲が適用されてよい。寸法Ｌ１１，Ｌ１８に対しては、寸法Ｌ１，Ｌ７の寸法範囲が適用されてよい。
【００４９】
また、上述の実施形態では、中央位置の間隔の寸法Ｌ４以外の寸法Ｌ２，Ｌ３，Ｌ５，Ｌ６は、同じ寸法に設定されていた。これに代えて、図５（ａ）に示すように、寸法Ｌ３，Ｌ５が、寸法Ｌ４よりも小さく、且つ寸法Ｌ２，Ｌ６より大きくてよい。すなわち、中央位置の寸法から、根太部材３に近づくにつれて、徐々に寸法が小さくなっていくような構成を採用してもよい。なお、寸法Ｌ３，Ｌ５が寸法Ｌ４と同じであってもよい。
【００５０】
また、管部材の数量も間隔を３つ以上形成できる限り、特に限定されない。例えば、図５（ｂ）に示すように、３つの間隔を形成するように、管部材６１，６２，６３が設けられてよい。この場合は、中央の隙間の寸法Ｌ２３が、他の寸法Ｌ２２，Ｌ２４よりも大きく設定される。この場合、寸法Ｌ２３は、７５〜１０１ｍｍに設定されてよい。寸法Ｌ２２，Ｌ２４は、６０〜７５ｍｍに設定されてよい。寸法Ｌ２１，Ｌ２５は、１０〜２０ｍｍに設定されてよい。
【００５１】
また、根太片４は、床暖房パネル１００のうちの一部のみに設けられてもよく、全部が省略されてもよい。
【００５２】
また、床暖房パネル１００の大きさや形状も特に限定されない。例えば、Ｙ軸方向における上半分又は下半分を省略してもよい。
【符号の説明】
【００５３】
１…ベース部材、３…根太部材、４…根太片、６…管部材、１０…配列領域、１００…床暖房パネル。
【図１】
2019070497.tif 000003
【図２】
2019070497.tif 000004
【図３】
2019070497.tif 000005
【図４】
2019070497.tif 000006
【図５】
2019070497.tif 000007
【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
平板状に広がるベース部材と、
前記ベース部材に設けられ、第１の方向に延び、当該第１の方向と直交する第２の方向に離間して複数配列される根太部材と、
前記ベース部材に設けられ、熱媒体を流通させる複数の管部材と、を備える床暖房パネルであって、
前記ベース部材には、前記第２の方向に隣り合う一対の前記根太部材間に、複数の前記管部材が第１の方向に延びて配列される配列領域が形成され、
前記配列領域では、複数の前記管部材が、前記第２の方向に少なくとも３つの間隔を形成して互いに離間して配列され、
前記配列領域の前記第２の方向の端部における前記間隔の寸法は、前記配列領域における前記第２の方向の中央位置での前記間隔の寸法に比して小さく設定され、
前記第２の方向の一方の端部における前記間隔の寸法と、前記第２の方向の他方の端部における前記間隔の寸法とは、互いに同じ寸法に設定される、床暖房パネル。
【請求項２】
前記ベース部材は前記第１の方向に対向する一対の縁部を有し、
前記ベース部材のうち、前記第２の方向において前記根太部材が設けられる位置には、前記一対の縁部間に、前記根太部材が設けられない隙間が形成され、
前記中央位置での前記間隔を形成する一対の前記管部材の間には、前記第１の方向において前記隙間と対応する位置に、根太片が設けられる、請求項１に記載の床暖房パネル。
【請求項３】
平板状に広がるベース部材と、
前記ベース部材に設けられ、第１の方向に延び、当該第１の方向と直交する第２の方向に離間して複数配列される根太部材と、
前記ベース部材に設けられ、熱媒体を流通させる複数の管部材と、を備える床暖房パネルであって、
前記ベース部材には、前記第２の方向に隣り合う一対の前記根太部材間に、複数の前記管部材が第１の方向に延びて配列される配列領域が形成され、
前記配列領域では、複数の前記管部材が、前記第２の方向に少なくとも３つの間隔を形成して互いに離間して配列され、
前記配列領域の前記第２の方向の端部における前記間隔の寸法は、前記配列領域における前記第２の方向の中央位置での前記間隔の寸法に比して小さく設定され、
前記ベース部材は前記第１の方向に対向する一対の縁部を有し、
前記ベース部材のうち、前記第２の方向において前記根太部材が設けられる位置には、前記一対の縁部間に、前記根太部材が設けられない隙間が形成され、
前記中央位置での前記間隔を形成する一対の前記管部材の間には、前記第１の方向において前記隙間と対応する位置に、根太片が設けられ、
前記根太片の前記第１の方向における両端部は、前記ベース部材の前記一対の縁部から離間する、床暖房パネル。